(57)【特許請求の範囲】
【請求項１】
被加熱物を加熱する加熱手段と、器具の動作状態を表示する表示手段と、情報通信端末と無線通信するための通信手段とを備えた加熱調理器であって、
情報通信端末が登録された端末であるか否かを判定する端末判定手段と、
登録された情報通信端末との間で相互通信可能な状態になったか否かを判定する接続判定手段とを備え、
表示手段として、器具の電源のオンオフ状態を点灯や消灯により表示する電源表示部を有し、
電源表示部の発光色又は発光パターンを、端末判定手段および接続判定手段の判定結果に応じて異ならせることで、情報通信端末との通信状態を表示可能な構成とした、加熱調理器。
【請求項２】
被加熱物を加熱する加熱手段と、器具の動作状態を表示する表示手段と、情報通信端末と無線通信するための通信手段とを備えた加熱調理器であって、
情報通信端末が登録された端末であるか否かを判定する端末判定手段と、
登録された情報通信端末との間で相互通信可能な状態になったか否かを判定する接続判定手段とを備え、
表示手段として、加熱手段の動作状態を点灯や消灯により表示する加熱表示部を有し、
加熱表示部の発光色又は発光パターンを、端末判定手段および接続判定手段の判定結果に応じて異ならせることで、情報通信端末との通信状態を表示可能な構成とした、加熱調理器。
【請求項３】
請求項１または２に記載の加熱調理器において、
器具の電源がオン状態のときにのみ、対応する表示手段の表示形態を、端末判定手段および接続判定手段の判定結果に応じて異ならせる構成とした、加熱調理器。
【発明の詳細な説明】
【技術分野】
【０００１】
本発明は、加熱調理器、特に、情報通信端末との間で無線通信可能な加熱調理器に関する。
【背景技術】
【０００２】
従来、コンロやグリル装置など加熱調理器における自動調理の動作条件を携帯移動通信端末などの情報通信端末で選択し、加熱調理器に無線送信することで、自動調理メニューを予約設定したり、特定の動作を制限したりするように構成された加熱調理器が知られている（例えば、特許文献１参照）。
【先行技術文献】
【特許文献】
【０００３】
【特許文献１】特開２０１４−１６５５４８号公報
【発明の概要】
【発明が解決しようとする課題】
【０００４】
ところで、この種の加熱調理器では、電子レンジなどの他の機器から発生する電波や障害物等の影響により、情報通信端末との間で正常に通信できず、使用する情報通信端末の登録ができない、情報通信端末で選択設定された動作条件の情報を受信できない等の問題が生じる場合がある。しかしながら、上記従来の加熱調理器では、情報通信端末との間で通信不良が生じても、その原因を使用者や修理業者が容易に特定する手段が無いため、対応が遅れるという問題があった。
【０００５】
本発明は、上記課題を鑑みてなされたものであり、その目的は、情報通信端末との間で無線通信可能な加熱調理器において、情報通信端末との通信状態を使用者や修理業者が容易に把握できる、使い勝手の良好な加熱調理器を提供することにある。
【課題を解決するための手段】
【０００６】
本発明は、被加熱物を加熱する加熱手段と、器具の動作状態を表示する表示手段と、情報通信端末と無線通信するための通信手段とを備えた加熱調理器であって、情報通信端末が登録された端末であるか否かを判定する端末判定手段と、登録された情報通信端末との間で相互通信可能な状態になったか否かを判定する接続判定手段とを備え、表示手段の表示形態を、端末判定手段および接続判定手段の判定結果に応じて異ならせる構成としたものである。
【０００７】
このものでは、情報通信端末と加熱調理器とがどのような通信状態であるのか、使用者や修理業者が表示手段の表示形態に基づいて容易に特定できるから、通信不良に対して迅速に対応することが可能である。
【０００９】
特に、このものでは、上記表示手段として、器具の電源のオンオフ状態を点灯や消灯により表示する電源表示部を有し、その発光色又は発光パターンを端末判定手段および接続判定手段の判定結果に応じて異ならせるようにしたことで、情報通信端末と加熱調理器とがどのような通信状態であるのかを、使用者や修理業者が電源表示部の発光色や発光パターンによって直感的に特定できるから、通信不良に対してより迅速に対応することが可能である。しかも、電源表示部の表示形態に基づいて情報通信端末との通信状態を認識可能な構成としたことで、端末接続動作の実行中であるにもかかわらず、誤って電源をオフにしたり、加熱手段をオンにしたりするのを防止できる。
【００１１】
また、上記表示手段として、加熱手段の動作状態を点灯や消灯により表示する加熱表示部を有し、その発光色又は発光パターンを端末判定手段および接続判定手段の判定結果に応じて異ならせるようにしたものでは、情報通信端末と加熱調理器とがどのような通信状態であるのかを、使用者や修理業者が加熱表示部の発光色や発光パターンによって直感的に特定できるから、通信不良に対してより迅速に対応することが可能である。しかも、加熱表示部の表示形態に基づいて情報通信端末との通信状態を認識可能な構成としたことで、端末接続動作の実行中であるにもかかわらず、誤って電源をオフにしたり、加熱手段をオンにしたりするのを防止できる。
【００１２】
好ましくは、上記加熱調理器において、器具の電源がオン状態のときにのみ、対応する表示手段の表示形態を、端末判定手段および接続判定手段の判定結果に応じて異ならせる構成とする。
【００１３】
このものでは、器具の電源がオン状態のときにのみ、情報通信端末と加熱調理器とがどのような通信状態であるのかを、使用者や修理業者が表示手段の表示形態に基づいて特定できるから、器具の電源がオフ状態であるにもかかわらず、誤って加熱手段のオン操作がなされるのを防止できる。
【発明の効果】
【００１４】
以上のように、本発明によれば、たとえ情報通信端末との間で通信不良が生じても、その原因を使用者や修理業者が容易に特定し、迅速に対応することができるから、使い勝手が向上する。
【図面の簡単な説明】
【００１５】
【図１】図１は、本発明の実施の形態に係る加熱調理器の概略斜視図である。
【図２】図２は、本発明の実施の形態に係る加熱調理器の概略構成図である。
【図３】図３は、本発明の実施の形態に係る加熱調理器の端末登録時の作動フローチャートである。
【図４】図４は、本発明の実施の形態に係る加熱調理器の端末接続時の作動フローチャートである。
【発明を実施するための形態】
【００１６】
次に、上記した本発明を実施するための形態について、添付図面を参照しながら詳述する。
【００１７】
図１および図２に示すように、本発明の実施の形態に係る加熱調理器は、天板１１の上面に単数或いは複数のコンロバーナ２１を有するガスコンロ１であり、情報通信端末としての携帯移動通信端末（以下、「携帯端末」という）５との間で、ガスコンロ１の動作状態や携帯端末５で選択設定されたレシピデータ等の自動調理の動作条件を無線で送受信する機能を備えている。
【００１８】
コンロ本体１０の内部中央には、食材のグリル調理を行うための加熱庫３０が設けられている。また、加熱庫３０の内部には、単数或いは複数のグリルバーナ３１が組み込まれている（図２参照）。尚、本明細書では、コンロ本体１０の前面（本体前面）１３をガスコンロ１の正面とし、ガスコンロ１を正面側から見たときのコンロ本体１０の奥行き方向を前後方向、幅方向を左右方向、高さ方向を上下方向という。
【００１９】
コンロバーナ２１およびグリルバーナ３１は、何れもガスの燃焼排ガスを熱源として食材や調理容器などの被加熱物を加熱するバーナであり、ガス配管から供給されるガスを空気と混合して着火させ、燃焼排ガスを生成する。
【００２０】
天板１１の上面におけるコンロバーナ２１の外周には、鍋やフライパンなどの調理容器を下方から支持する五徳２２が載置されている。また、コンロバーナ２１の中央部には、五徳２２上に載置された調理容器の底部に当接し、容器底面の温度を検出する温度検出手段としての鍋底温度センサ２３が設けられている。さらに、コンロバーナ２１の炎孔形成部の近傍には、ガスの燃焼炎の有無を検出する炎検知センサ２４と、炎孔形成部の近傍で火花放電させる点火プラグ２５とが設けられている。
【００２１】
加熱庫３０内の後部には、庫内の温度、即ち、食材や調理容器を加熱する加熱雰囲気の温度を検出する温度検出手段としての庫内温度センサ３３が設けられている。また、グリルバーナ３１の炎孔形成部の近傍には、ガスの燃焼炎の有無を検出する炎検知センサ３４と、炎孔形成部の近傍で火花放電させる点火プラグ３５とが設けられている（図２参照）。
【００２２】
天板１１の下面側の中央前寄りの位置には、ガスコンロ１の動作状態や設定情報などを表示する情報表示部４１が設けられている。また、コンロ本体１０の内部には、携帯端末５との間でデータを無線送受信するための通信手段としての無線通信部４２が組み込まれている。尚、本実施の形態に係るガスコンロ１と携帯端末５との間の通信は、Ｂｌｕｅｔｏｏｔｈ（登録商標）や赤外線通信等の近距離無線通信規格に基づいて行われるが、家庭内通信ネットワークを介して相互に無線接続される構成としてもよい。
【００２３】
本体前面１３には、下辺部を軸として前後に開閉し、内側にコンロバーナ２１およびグリルバーナ３１の動作条件を設定入力するための複数の操作スイッチを有する設定操作パネル４０が設けられている。
【００２４】
また、本体前面１３には、ガスコンロ１の主電源のオンおよびオフを手動操作するための電源スイッチ４３と、コンロバーナ２１の点火や消火、火力調整を手動操作するためのコンロ点消火操作子４４と、グリルバーナ３１の点火や消火、火力を手動操作するためのグリル点消火操作子４５とが設けられている。
【００２５】
電源スイッチ４３は、常に本体前面１３よりも前方へ突出した状態で設けられており、一回押される毎にガスコンロ１の主電源がオンの状態とオフの状態とで交互に切り替わるように構成されている。
【００２６】
電源スイッチ４３の内部には、ガスコンロ１の電源のオンオフ状態を点灯により表示する電源表示部としての電源ランプ４６が組み込まれており、電源ランプ４６の光は、電源スイッチ４３表面の透光部を通じてコンロ本体１０の前方へ放射される。
【００２７】
電源ランプ４６は、発光ダイオードなど発光色の異なる複数の発光素子を組み合わせて構成されたものであり、コンロ制御回路１５からの発光色変更の指示に応じて複数種類の色で点灯させることができる。
【００２８】
コンロ点消火操作子４４およびグリル点消火操作子４５は、コンロ本体１０内に埋没した加熱オフの状態（図１中の「中央のコンロ点消火操作子４４、左側のコンロ点消火操作子４４、グリル点消火操作子４５」の状態）からさらに後方へ押し込むことで、本体前面１３より前方へ突出して加熱オンの状態（図１中の「右側のコンロ点消火操作子４４」の状態）になり、加熱オンの状態から再び後方へ押し戻すことで、上記加熱オフの状態になるように構成されている。
【００２９】
図示しないが、コンロ点消火操作子４４およびグリル点消火操作子４５にはそれぞれ、点火操作によりオンとなり、消火操作によりオフとなるオルタネートスイッチと、複数（例えば、９つ）の接点を有するロータリースイッチとを備えており、点火操作がなされた後、左右に回動させれば、その回動位置に対応する火力が選択設定される。
【００３０】
コンロ点消火操作子４４およびグリル点消火操作子４５の外周には、対応するバーナ２１，３１の点火を点灯により表示する点火表示機能、および、設定火力（設定出力）を点灯させるランプ数により表示する火力表示機能を兼備する加熱表示部としての加熱表示ランプ４７が設けられている。
【００３１】
加熱表示ランプ４７も電源ランプ４６と同様、発光色の異なる複数の発光素子を組み合わせて構成されたものであり、コンロ制御回路１５からの発光色変更の指示に応じて複数種類の色で点灯させることができる。
【００３２】
上記ガスコンロ１では、本体前面１３における加熱庫３０の右側に電源スイッチ４３およびコンロ点消火操作子４４が設けられ、本体前面１３における加熱庫３０の左側にグリル点消火操作子４５が設けられている。また、コンロバーナ２１用の設定操作パネル４０は、本体前面１３におけるコンロ点消火操作子４４の配設部下方に設けられ、グリルバーナ３１用の設定操作パネル４０は、本体前面１３におけるグリル点消火操作子４５の配設部下方に設けられている。
【００３３】
設定操作パネル４０には、食材の調理モードや加熱時間、加熱温度など自動調理の動作条件を設定入力するための設定入力スイッチ４８と、設定入力スイッチ４８により設定された加熱時間や加熱温度を表示する設定表示部４９とが設けられている。
【００３４】
設定入力スイッチ４８は、湯沸し、煮物、揚物、炊飯などの調理モードを選択設定するための調理モード設定スイッチ、被加熱物の加熱時間を設定するためのタイマ設定スイッチ、被加熱物の加熱温度を設定するための温度設定スイッチ、設定された加熱時間や加熱温度を加減するための加減スイッチ、ガスコンロ１の設定を変更するための設定変更スイッチなどからなり、これら各スイッチを操作することで自動調理の動作条件の設定や携帯端末５との通信設定を行うことができる。
【００３５】
図２に示すように、コンロ本体１０の内部には、コンロ点消火操作子４４による点火操作や消火操作、火力設定操作に応じてコンロバーナ２１へのガスの供給量を調整するコンロバーナ２１用のバルブユニット２６と、グリル点消火操作子４５による点火操作や消火操作、火力設定操作に応じてグリルバーナ３１へのガスの供給量を調整するグリルバーナ３１用のバルブユニット３６とが組み込まれている。
【００３６】
コンロバーナ２１用のバルブユニット２６は、コンロ点消火操作子４４にて点火操作がなされれば開き、炎検知センサ２４にてガスの燃焼炎が検出されなければ閉じる電磁開閉弁、コンロ点消火操作子４４にて点火操作がなされれば開き、消火操作がなされれば閉じる主弁、コンロ点消火操作子４４の火力設定操作に合わせて開度調整されるニードル弁、コンロ制御回路１５からの火力変更の指示に応じて開度を切り替える火力切替弁などからなり、これら各弁体によってコンロバーナ２１へのガスの供給量が適宜調整される。
【００３７】
グリルバーナ３１用のバルブユニット３６も同様、グリル点消火操作子４５にて点火操作がなされれば開き、炎検知センサ３４にてガスの燃焼炎が検出されなければ閉じる電磁開閉弁、グリル点消火操作子４５にて点火操作がなされれば開き、消火操作がなされれば閉じる主弁、グリル点消火操作子４５の火力設定操作に合わせて開度調整されるニードル弁、コンロ制御回路１５からの火力変更の指示に応じて開度を切り替える火力切替弁などからなり、これら各弁体によってグリルバーナ３１へのガスの供給量が適宜調整される。
【００３８】
コンロ本体１０の内部には、ガスコンロ１全体の動作を制御するコンロ制御回路１５が組み込まれている。鍋底温度センサ２３、庫内温度センサ３３、炎検知センサ２４，３４、バルブユニット２６，３６、情報表示部４１、無線通信部４２、電源スイッチ４３、コンロ点消火操作子４４、グリル点消火操作子４５、電源ランプ４６、加熱表示ランプ４７、設定入力スイッチ４８、および、設定表示部４９は、何れもコンロ制御回路１５に有線接続されている。点火プラグ２５，３５は、点火操作がなされた際に点火プラグ２５，３５に高電圧を印加する図示しないイグナイタを介してコンロ制御回路１５に接続されている。
【００３９】
図示しないが、コンロ制御回路１５は、点消火操作子４４，４５の操作に応じてバーナ２１，３１の点火や消火、火力調整を行うバーナ制御部、情報表示部４１の表示形態を制御する情報表示制御部、電源ランプ４６の表示形態を制御する電源表示制御部、加熱表示ランプ４７の表示形態を制御する加熱表示制御部、設定表示部４９の表示形態を制御する設定表示制御部、炎検知センサ２４，３４の出力値に基づいてバーナ２１，３１の点火や消火を判定する点消火判定部、鍋底温度センサ２３の検出温度に基づいて五徳２２上に載置された調理容器の温度状態を判定する鍋温度判定部、庫内温度センサ３３の検出温度に基づいて加熱庫３０内の加熱雰囲気の温度状態を判定する庫内温度判定部、無線通信部４２の通信動作を制御する通信制御部、無線通信部４２で受信した携帯端末５の端末情報や携帯端末５で選択設定された自動調理の動作条件などのデータを記憶する設定記憶部、設定入力スイッチ４８によって設定された動作条件或いは携帯端末５から送信された動作条件に基づいてバーナ２１，３１の動作を制御する自動調理制御部等の回路構成を有している。
【００４０】
また、コンロ制御回路１５は、携帯端末５から送信された端末情報が登録された端末のものであるか否かを判定する端末判定部、特定の携帯端末５と相互通信可能な状態にする端末接続動作（ペアリング）の実行部、特定の携帯端末５との間で相互通信可能な状態になったか否かを判定する接続判定部、端末判定部や接続判定部の判定結果等に応じて電源ランプ４６の表示形態を変更させる通信状態表示制御部等の回路構成をさらに有している。
【００４１】
携帯端末５には、操作機能兼表示機能を有する操作表示パネル６１と、外部通信ネットワークに無線接続可能な無線通信部６２とを備えた情報通信端末、所謂スマートフォンが好適に用いられ、無線通信部６２は、さらにガスコンロ１との間でデータを無線送受信する機能を有している。
【００４２】
尚、携帯端末５の無線通信部６２は、屋外に設置された通信基地局のアンテナを介して外部通信ネットワークに無線接続するように構成されたものであってもよいし、室内等に設置された中継器を介して外部通信ネットワークに無線接続するように構成されたものであってもよいし、その何れかの通信形態に切り替えて外部通信ネットワークに無線接続するように構成されたものであってもよい。また、携帯端末５には、所謂タブレットＰＣのような無線通信端末や、ネットワーク通信機能を備えたテレビ、リモートコントローラ等を用いることもできる。
【００４３】
さらに、携帯端末５の端末制御回路５５（図２参照）は、内部に組み込まれたアプリケーションプログラムの動作を制御するＡＰ制御部、上記アプリケーションプログラムの動作に応じて操作表示パネル６１の表示形態を制御する端末表示制御部、無線通信部６２の通信動作を制御する通信制御部、無線通信部６２で受信した情報やアプリケーションプログラムを記憶する情報記憶部等の回路構成を有している。
【００４４】
次に、特定の携帯端末５をガスコンロ１に登録して通信可能な状態にする端末登録時、および、登録された携帯端末５との間で相互通信可能な状態にする端末接続時の上記ガスコンロ１の制御動作を、図３および図４に示すフローチャートに従って説明する。
【００４５】
尚、上記ガスコンロ１に携帯端末５を無線接続するにあたって、携帯端末５側で、自動調理のレシピデータ等の動作条件を設定するためのアプリケーションプログラム（以下、「調理設定ＡＰ」という）を予め起動しておく。これにより、携帯端末５の操作表示パネル６１には、湯沸し、煮物、揚物、炊飯など複数の調理モードを選択設定するための擬似操作キーとなる調理モード設定ボタン、加熱目標温度を設定するための擬似操作キーとなる温度設定ボタン、火力を設定するための擬似操作キーとなる火力設定ボタン、加熱時間を設定するための擬似操作キーとなるタイマ設定ボタン、余熱時間を設定するための擬似操作キーとなる余熱設定ボタン、加熱目標温度や火力、加熱時間、余熱時間の設定を加減するための擬似操作キーとなる加減ボタン、ガスコンロ１との間で相互通信可能な状態にするための擬似操作キーとなる接続ボタン、携帯端末５の設定を変更するための擬似操作キーとなる設定変更ボタン等が表示され、これにより、自動調理の動作条件の選択設定やガスコンロ１との通信設定が可能な状態となる。
【００４６】
従って、例えば、携帯端末５をガスコンロ１に登録する場合は、設定変更ボタンを押し、通信設定モードを選択した後、操作表示パネル６１に表示される端末情報送信ボタンを押すことで、登録に必要な端末情報がガスコンロ１に送信される。また、登録済みの携帯端末５をガスコンロ１に無線接続する場合は、接続ボタンを押すことで、相互通信するのに必要な接続情報がガスコンロ１に送信される。さらに、調理モードボタンやタイマ設定ボタン等によって選択設定した動作条件をガスコンロ１に送信する場合は、動作条件の設定後に操作表示パネル６１に表示される動作条件送信ボタンを押すことで、その設定データがガスコンロ１に送信される。
【００４７】
〔端末登録時の制御動作〕
電源スイッチ４３により電源のオン操作がなされると、発光色Ａ（例えば、シアン）にて電源ランプ４６を点灯させ、主電源がオン状態であることを表示する。その後、設定入力スイッチ４８にて端末登録モードの選択操作（例えば、設定変更スイッチを押した後、加減スイッチによって「端末登録モード」を選択する操作）がなされた場合は、発光色Ａのまま電源ランプ４６を点滅に切り替えて、端末情報の検索中であることを表示すると共に、携帯端末５から端末情報が送信されているか否かの監視を開始する（ＳＴ１〜ＳＴ４）。
【００４８】
そして、端末情報が正常に受信され（ＳＴ４のステップでＹｅｓ）、且つ、コンロ制御回路１５に組み込まれた図示しないメモリの特定の第１ブロックに端末情報が登録されていない場合は、上記端末情報を、第１の登録端末情報として第１ブロックに記憶させると共に、電源ランプ４６を発光色Ｂ（例えば、イエロー）に変更して点灯状態に戻し、上記携帯端末５が第１の登録端末として正常に登録されたことを表示して、登録動作を終了する（ＳＴ５〜ＳＴ７）。
【００４９】
一方、端末情報が正常に受信されたとき（ＳＴ４のステップでＹｅｓ）、既に第１ブロックに端末情報が登録されている場合は（ＳＴ５のステップでＮｏ）、第２ブロックに端末情報が登録されているか否かを確認する。その結果、第２ブロックに端末情報が登録されていなければ、上記端末情報を、第２の登録端末情報として第２ブロックに記憶させると共に、電源ランプ４６を発光色Ｃ（例えば、マゼンタ）に変更して点灯状態に戻し、上記携帯端末５が第２の登録端末として正常に登録されたことを表示して、登録動作を終了する（ＳＴ８〜ＳＴ１０）。
【００５０】
また、端末情報が正常に受信されたとき（ＳＴ４のステップでＹｅｓ）、既に第１ブロックにも第２ブロックにも端末情報が登録されている場合は（ＳＴ８のステップでＮｏ）、上記端末情報を記憶しないで、電源ランプ４６を発光色Ａのまま点灯状態に戻し、上記携帯端末５が正常に登録されなかったことを表示して、登録動作を終了する。
【００５１】
尚、端末登録モードが開始されてから一定時間内に、端末情報が正常に受信されなかった場合は（ＳＴ４のステップでＮｏ）、タイムエラーとしてＳＴ１のステップに戻り、登録動作を終了する構成としてもよい。また、端末情報が正常に受信されたときに、第１ブロックにも第２ブロックにも端末情報が登録されている場合は（ＳＴ８のステップでＮｏ）、何れか一方のブロックの端末情報を上書きして登録可能な構成としてもよい。
【００５２】
〔端末接続時の制御動作〕
電源スイッチ４３により電源のオン操作がなされると、発光色Ａ（例えば、シアン）にて電源ランプ４６を点灯させ、主電源がオン状態であることを表示する。その後、設定入力スイッチ４８にて端末接続モードの選択操作（例えば、設定変更スイッチを押した後、加減スイッチによって「端末接続モード」を選択する操作）がなされた場合、或いは、予め端末接続モードが設定されている場合は、発光色Ａのまま電源ランプ４６を点滅に切り替えて、接続情報の検索中であることを表示すると共に、携帯端末５から接続情報が送信されているか否かの監視を開始する（ＳＴ２１〜ＳＴ２４）。
【００５３】
そして、接続情報が正常に受信されれば（ＳＴ２４のステップでＹｅｓ）、その接続情報の送信元と図示しないメモリの各ブロックの登録情報との照合を行う。その結果、上記接続情報が第１の登録端末からのものと認定された場合は、第１の登録端末である携帯端末５との接続を許可し、他の携帯端末５との接続は全て拒否する。そして、電源ランプ４６を発光色Ｂ（例えば、イエロー）に変更して点灯状態に戻し、第１の登録端末である携帯端末５とガスコンロ１とが正常に相互通信可能な状態になったことを表示し、端末接続動作を終了する（ＳＴ２５〜ＳＴ２７）。
【００５４】
一方、受信された接続情報が第２の登録端末からのものと認定された場合は（ＳＴ２５のステップでＮｏ）、第２の登録端末である携帯端末５との接続を許可し、他の携帯端末５との接続は全て拒否する。そして、電源ランプ４６を発光色Ｃ（例えば、マゼンタ）に変更して点灯状態に戻し、第２の登録端末である携帯端末５とガスコンロ１とが正常に相互通信可能な状態になったことを表示し、端末接続動作を終了する（ＳＴ２８〜ＳＴ２９）。
【００５５】
尚、端末接続モードが開始されてから一定時間内に、第１の登録端末又は第２の登録端末からの接続情報が正常に受信されなかった場合は（ＳＴ２４のステップでＮｏ）、タイムエラーとしてＳＴ１のステップに戻り、接続動作を終了する構成としてもよい。
【００５６】
上記ガスコンロ１によれば、端末情報を検索中であるのか、携帯端末５が第１の登録端末として登録されたのか第２の登録端末として登録されたのか、接続情報を検索中であるのか、どの登録端末との接続が確立されているのかなど、携帯端末５とガスコンロ１とがどのような通信状態であるのかを使用者や修理業者が電源ランプ４６の表示形態に基づいて容易に特定できるから、たとえ携帯端末５との間で通信不良が生じても、その原因を使用者や修理業者が容易に特定し、迅速に対応することができる。よって、使い勝手がよい。
【００５７】
さらに、このものでは、携帯端末５とガスコンロ１とがどのような通信状態であるのかを、使用者や修理業者が電源ランプ４６の発光色や発光パターンによって直感的に特定できるから、携帯端末５との通信不良の原因を使用者や修理業者が容易に特定し、迅速に対応することができる。よって、使い勝手が一層良好である。
【００５８】
しかも、電源ランプ４６の表示形態に基づいて携帯端末５との通信状態を特定可能な構成としたことで、端末接続動作中であるにもかかわらず、誤って電源をオフにしたり、バーナ２１，３１の点火操作を行ったりするのを防止できる。よって、使い勝手が一層良好である。
【００５９】
また、このものでは、ガスコンロ１の主電源がオン状態のときにのみ、携帯端末５とガスコンロ１とがどのような通信状態であるのかを、使用者や修理業者が電源ランプ４６の表示形態に基づいて特定できるから、ガスコンロ１の主電源がオフ状態であるにもかかわらず、誤ってバーナ２１，３１の点火操作がなされるのを防止できる。よって、使い勝手が一層良好である。また、ガスコンロ１の主電源がオフ状態である場合は、電源ランプ４６の点灯や点滅、発光色の変更動作を行わない（消灯状態で維持する）から、消費電力も低減できる。
【００６０】
尚、上記実施の形態では、電源ランプ４６の表示形態に基づいて携帯端末５との通信状態を認識可能な構成としたものを説明したが、加熱表示ランプ４７の表示形態に基づいて携帯端末５との通信状態を認識可能な構成としたものであってもよい。
【００６１】
詳述すると、図３のフローチャートにおいて、端末登録モードの選択操作がなされた場合は（ＳＴ２のステップでＹｅｓ）、電源ランプ４６を発光色Ａにて点滅させる代わりに、点消火操作子４４，４５の外周に設けられた加熱表示ランプ４７を発光色Ａにて点滅させて、端末情報の検索中であることを表示する。また、端末情報が正常に受信されたときに、メモリの第１ブロックに端末情報が登録されていない場合は（ＳＴ５のステップでＹｅｓ）、電源ランプ４６を発光色Ｂにて点灯させる代わりに、加熱表示ランプ４７を発光色Ｂにて点灯させる、或いは、加熱表示ランプ４７を第１の発光パターン（例えば、点灯ランプ数１）にて点灯させて、携帯端末５が第１の登録端末として正常に登録されたことを表示する。一方、端末情報が正常に受信されたときに、メモリの第１ブロックには端末情報が登録されており、第２ブロックには登録されていない場合は（ＳＴ８のステップでＹｅｓ）、電源ランプ４６を発光色Ｃにて点灯させる代わりに、加熱表示ランプ４７を発光色Ｃにて点灯させる、或いは、加熱表示ランプ４７を第２の発光パターン（例えば、点灯ランプ数２）にて点灯させて、携帯端末５が第２の登録端末として正常に登録されたことを表示する。
【００６２】
そしてさらに、図４のフローチャートにおいて、端末接続モードの選択操作がなされた場合は（ＳＴ２２のステップでＹｅｓ）、電源ランプ４６を発光色Ａにて点滅させる代わりに、加熱表示ランプ４７を発光色Ａにて点滅させて、接続情報の検索中であることを表示する。また、接続情報が正常に受信されたときに、その接続情報が第１の登録端末からのものと認定された場合は（ＳＴ２５のステップでＹｅｓ）、電源ランプ４６を発光色Ｂにて点灯させる代わりに、加熱表示ランプ４７を発光色Ｂにて点灯させる、或いは、加熱表示ランプ４７を第１の発光パターン（例えば、点灯ランプ数１）にて点灯させて、第１の登録端末である携帯端末５とガスコンロ１とが正常に相互通信可能な状態になったことを表示する。一方、接続情報が正常に受信されたときに、その接続情報が第２の登録端末からのものと認定された場合は（ＳＴ２５のステップでＮｏ）、電源ランプ４６を発光色Ｃにて点灯させる代わりに、加熱表示ランプ４７を発光色Ｃにて点灯させる、或いは、加熱表示ランプ４７を第２の発光パターン（例えば、点灯ランプ数２）にて点灯させて、第２の登録端末である携帯端末５とガスコンロ１とが正常に相互通信可能な状態になったことを表示する。
【００６３】
このものでは、端末情報の検索中であるのか、携帯端末５が第１の登録端末として登録されたのか第２の登録端末として登録されたのか、端末接続動作中であるのか、どの登録端末との接続が確立されているのかなど、携帯端末５とガスコンロ１とがどのような通信状態であるのかを使用者や修理業者が加熱表示ランプ４７の表示形態に基づいて容易且つ直感的に特定できるから、上記実施の形態に係るガスコンロ１と同様の作用効果を奏する。
【００６４】
また、複数のバーナ２１，３１を備えたものにおいて、各バーナ２１，３１の点火、消火および設定火力を表示する加熱表示ランプ４７の全体としての発光色又は発光パターンを、端末判定部および接続判定部の判定結果に応じて異ならせるように構成されたものとしてもよい。
【００６５】
具体的には、例えば、端末情報を検索中である場合は、全加熱表示ランプ４７を発光色Ａにて点滅させ、携帯端末５が第１の登録端末として登録された場合は、右側の加熱表示ランプ４７を発光色Ａにて点灯させ、携帯端末５が第２の登録端末として登録された場合は、中央の加熱表示ランプ４７を発光色Ａにて点灯させ、携帯端末５が第３の登録端末として登録された場合は、左側の加熱表示ランプ４７を発光色Ａにて点灯させる。また、接続情報を検索中である場合は、全加熱表示ランプ４７を発光色Ｂにて点滅させ、第１の登録端末が接続されている場合は、右側の加熱表示ランプ４７を発光色Ｂにて点灯させ、第２の登録端末が接続されている場合は、中央の加熱表示ランプ４７を発光色Ｂにて点灯させ、第３の登録端末が接続されている場合は、左側の加熱表示ランプ４７を発光色Ｂにて点灯させる。これにより、上記実施の形態に係るガスコンロ１と同様の作用効果を奏する。
【００６６】
尚、上記各実施の形態では、二機の携帯端末５を登録可能なガスコンロ１を説明したが、三機以上の携帯端末５を登録可能であり、電源ランプ４６或いは加熱表示ランプ４７をさらに複数の発光色や発光パターンで点灯させることにより、携帯端末５とガスコンロ１との通信状態を特定できるようにしたものであってもよい。
【００６７】
また、上記各実施の形態では、携帯端末５とガスコンロ１とがどのような通信状態であるのかを電源ランプ４６や加熱表示ランプ４７の表示形態に基づいて認識できるように構成されたものを説明したが、電源ランプ４６や加熱表示ランプ４７の表示形態に加え、情報表示部４１および設定表示部４９でも携帯端末５との通信状態を文字や図形で表示するように構成されたものとしてもよい。また、天板１１や本体前面１３に携帯端末５との通信状態を表示するための専用の通信表示ランプを別途設け、通信表示ランプの発光色および発光パターンを、上記した電源ランプ４６や加熱表示ランプ４７と同様、端末判定部および接続判定部の判定結果に応じて異ならせるように構成されたものとしてもよい。
【００６８】
また、上記実施の形態では、被加熱物を加熱する加熱手段として、ガスの燃焼排ガスを熱源とするバーナが用いられたものを説明したが、上記バーナに代えて、電熱部からの輻射熱や伝導熱により被加熱物を加熱する電熱ヒータが用いられたものであってもよいし、電磁誘導により被加熱物を加熱する電磁誘導ヒータが用いられたものであってもよいし、バーナや電熱ヒータ、電磁誘導ヒータが組み合わせて用いられたものであってもよい。
【００６９】
本発明は、本体上部にのみ加熱手段が設けられたガスコンロにも適用できるし、本体内部にのみ加熱手段が設けられたグリル装置にも適用できる。
【符号の説明】
【００７０】
１      ガスコンロ（加熱調理器）
１５    コンロ制御回路
２１    コンロバーナ（加熱手段）
３１    グリルバーナ（加熱手段）
４２    無線通信部（通信手段）
４６    電源ランプ（表示手段）
４７    加熱表示ランプ（表示手段）
５      携帯端末（情報通信端末）
【図１】
0006670169.tif 000002
【図２】
0006670169.tif 000003
【図３】
0006670169.tif 000004
【図４】
0006670169.tif 000005